(57)【特許請求の範囲】
【請求項１】
印刷装置であって、
本体と、
前記印刷装置の前記本体における非透過性の扉および引き出しの少なくとも１つであって、前記非透過性の扉および引き出しによって前記印刷装置の前記本体の内部領域へのアクセスが可能になる、前記非透過性の扉および引き出しの少なくとも１つと、
前記印刷装置の前記本体内に位置し、前記印刷装置の動作を制御する、プロセッサと、
前記印刷装置の前記本体内に位置し、前記プロセッサに作動的に接続されており、前記非透過性の扉および引き出しが開いているときにのみ、見ることができるように位置付けられている、複数の内部グラフィック・ユーザ・インターフェース・ディスプレイと、
前記印刷装置の前記本体の前記内部領域に位置し、発光材料を含む複数の紙詰まり除去機構と、
を含み、
各前記紙詰まり除去機構の近傍に少なくとも１つの前記内部グラフィック・ユーザ・インターフェース・ディスプレイが位置し、
前記プロセッサは、前記複数の内部グラフィック・ユーザ・インターフェース・ディスプレイのうち、ユーザが操作すべき１つの紙詰まり除去機構の最も近くに位置する１つの内部グラフィック・ユーザ・インターフェース・ディスプレイのみを動作させると共に、前記ユーザが操作すべき１つの紙詰まり除去機構に含まれる前記発光材料を発光させるよう制御する、
ことを特徴とする、印刷装置。
【請求項２】
印刷装置であって、
本体と、
前記印刷装置の前記本体における非透過性の扉および引き出しの少なくとも１つであって、前記非透過性の扉および引き出しによって前記印刷装置の前記本体の内部領域へのアクセスが可能になる、前記非透過性の扉および引き出しの少なくとも１つと、
前記印刷装置の前記本体内に位置し、前記印刷装置の前記本体を介して媒体シートを移動させる媒体経路と、
前記印刷装置の前記本体内に位置し、前記媒体経路が前記媒体シートを供給する、マーキングエンジンと、
前記印刷装置の前記本体内に位置し、前記マーキングエンジンに作動的に接続され、前記マーキングエンジンの動作を制御する、プロセッサと、
前記印刷装置の前記本体内に位置し、前記プロセッサに作動的に接続されており、前記非透過性の扉および引き出しが開いているときにのみ、見ることができるように位置付けられている、複数の内部グラフィック・ユーザ・インターフェース・ディスプレイと、
前記印刷装置の前記本体の前記内部領域に位置し、発光材料を含む複数の紙詰まり除去機構と、
を含み、
各前記紙詰まり除去機構の近傍に少なくとも１つの前記内部グラフィック・ユーザ・インターフェース・ディスプレイが位置し、
前記プロセッサは、前記複数の内部グラフィック・ユーザ・インターフェース・ディスプレイのうち、ユーザが操作すべき１つの紙詰まり除去機構の最も近くに位置する１つの内部グラフィック・ユーザ・インターフェース・ディスプレイのみを動作させると共に、前記ユーザが操作すべき１つの紙詰まり除去機構に含まれる前記発光材料を発光させるよう制御する、
ことを特徴とする、印刷装置。
【請求項３】
印刷装置であって、
本体と、
前記印刷装置の前記本体における非透過性の扉および引き出しの少なくとも１つであって、前記非透過性の扉および引き出しによって前記印刷装置の前記本体の内部領域へのアクセスが可能になる、前記非透過性の扉および引き出しの少なくとも１つと、
前記印刷装置の前記本体内に位置し、前記印刷装置の前記本体を介して媒体シートを移動させる媒体経路と、
前記印刷装置の前記本体内に位置し、前記媒体経路が前記媒体シートを供給する、マーキングエンジンと、
前記印刷装置の前記本体内に位置し、前記マーキングエンジンに作動的に接続され、前記マーキングエンジンの動作を制御する、プロセッサと、
前記印刷装置の前記本体に位置付けられ、前記プロセッサに作動的に接続され、前記扉および引き出しが開いているか、または、閉じているときに目に見える、外部グラフィック・ユーザ・インターフェース・ディスプレイと、
前記印刷装置の前記本体内に位置し、前記プロセッサに作動的に接続されており、前記非透過性の扉および引き出しが開いているときにのみ、見ることができるように位置付けられている、複数の内部グラフィック・ユーザ・インターフェース・ディスプレイと、
前記印刷装置の前記本体の前記内部領域に位置し、発光材料を含む複数の紙詰まり除去機構と、
を含み、前記外部グラフィック・ユーザ・インターフェース・ディスプレイおよび前記内部グラフィック・ユーザ・インターフェース・ディスプレイは、前記媒体経路内の詰まりを取り除くための命令を同時に与え、
各前記紙詰まり除去機構の近傍に少なくとも１つの前記内部グラフィック・ユーザ・インターフェース・ディスプレイが位置し、
前記プロセッサは、前記複数の内部グラフィック・ユーザ・インターフェース・ディスプレイのうち、ユーザが操作すべき１つの紙詰まり除去機構の最も近くに位置する１つの内部グラフィック・ユーザ・インターフェース・ディスプレイのみを動作させると共に、前記ユーザが操作すべき１つの紙詰まり除去機構に含まれる前記発光材料を発光させるよう制御する、
ことを特徴とする、印刷装置。
【請求項４】
印刷装置内の紙詰まりを自動的に検出するステップと、
前記印刷装置の本体において非透過性の扉および引き出しの少なくとも１つを開いて、前記印刷装置の前記本体の内部領域へのアクセスを提供するステップと、
前記本体の内部領域に位置する複数の紙詰まり除去機構によりユーザが紙詰まりを取り除く際に、前記印刷装置の前記本体内において前記非透過性の扉および引き出しが開いているときにのみ見ることができるように位置付けられている複数の内部グラフィック・ユーザ・インターフェース・ディスプレイを動作させるステップと、
を含み、
前記複数の紙詰まり除去機構は、発光材料を含み、
各前記紙詰まり除去機構の近傍に少なくとも１つの前記内部グラフィック・ユーザ・インターフェース・ディスプレイが位置し、
前記内部グラフィック・ユーザ・インターフェース・ディスプレイを動作させるステップは、前記複数の内部グラフィック・ユーザ・インターフェース・ディスプレイのうち、前記ユーザが操作すべき１つの紙詰まり除去機構の最も近くに位置する１つの内部グラフィック・ユーザ・インターフェース・ディスプレイのみを動作させると共に、前記ユーザが操作すべき１つの紙詰まり除去機構に含まれる前記発光材料を発光させる、
ことを特徴とする方法。
【発明の詳細な説明】
【背景技術】
【０００１】
本発明の実施形態は、一般的に、静電プリンタ、複写機、および、再生機に関し、さらに詳細には、紙詰まりを取り除く等のための命令を与える印刷装置の本体内に位置付けられた表示機器に関する。
【０００２】
最新の印刷機器は、多種多様な印刷媒体を非常に高速に処理し、ほとんど実物そっくりの品質画像を作り出すことができる、高性能の機械である。しかし、ユーザまたは修理技術者は、点検を行い、あるいは、紙詰まりを取り除くために、このような印刷機の内側領域に入る必要がある場合もある。多くの場合、標準的な外部グラフィック・ユーザ・インターフェースに与えられた点検／紙詰まり除去命令を確認することは難しい。以下に記載する実施形態は、このような労力に対して援助し、ユーザ／修理技術者が、印刷機の内部領域内で作業している間に命令を容易に確認できるようにするものである。
【発明の概要】
【０００３】
本発明の実施形態は、本体、および、本体における、非透過性の扉および／または引き出しを含む、印刷装置を含んでいる。非透過性の扉および引き出しにより、印刷装置の本体の内部領域へのアクセスが可能になる。さらに、印刷装置の本体にある媒体経路は、本体を貫いて媒体シートを移動させる。また、マーキングエンジンは、印刷装置の本体内にあり、媒体経路は、マーキングエンジンに媒体シートを供給する。印刷装置の本体内のプロセッサは、マーキングエンジンに効果的に接続されており、マーキングエンジンの動作を制御する。ここで、１つの部材がもう１つの部材に「効果的に」接続されているのは、１つの部材がそれら以外の部材に直接または間接的に（電気的に、機械的に、機能上、など）接続されているときである。
【０００４】
さらに、印刷機器は、その本体に位置付けられた少なくとも１つの外部グラフィック・ユーザ・インターフェース・ディスプレイと、印刷装置の本体内の少なくとも１つの内部グラフィック・ユーザ・インターフェース・ディスプレイとを含んでいる。外部グラフィック・ユーザ・インターフェース・ディスプレイおよび内部グラフィック・ユーザ・インターフェース・ディスプレイは、例えば、プラスチック電子ディスプレイ、液晶ディスプレイ（ＬＣＤ）、発光ダイオード（ＬＥＤ）ディスプレイ、タッチスクリーンディスプレイ、プラズマディスプレイ、ブラウン管ディスプレイなど（または、このようなディスプレイの任意の組み合わせ）であってもよい。
【０００５】
内部グラフィック・ユーザ・インターフェース・ディスプレイは、非透過性の扉および引き出しが開いているときにのみ、見ることができるように位置付けられている。逆に、外部グラフィック・ユーザ・インターフェース・ディスプレイは、扉および引き出しが開いているか、あるいは、閉じているときに、目に見える。外部グラフィック・ユーザ・インターフェース・ディスプレイおよび内部グラフィック・ユーザ・インターフェース・ディスプレイは、両方とも、プロセッサに効果的に接続されている。さらに、外部グラフィック・ユーザ・インターフェース・ディスプレイおよび内部グラフィック・ユーザ・インターフェース・ディスプレイは、同時に、媒体経路内の詰まりを取り除くための命令を与えることができる。
【０００６】
実施形態には、扉および引き出しに扉センサおよび引き出しセンサを含むことができるものもある。（扉センサおよび引き出しセンサはまた、プロセッサに効果的に接続されている）。これらの実施形態では、プロセッサは、扉または引き出し、の少なくとも１つが開いていることを扉センサおよび引き出しセンサが検出したときにのみ、内部グラフィック・ユーザ・インターフェース・ディスプレイを作動させる。他の実施形態は、媒体経路に接続された少なくとも１つの紙詰まり除去機構を含むことができる。内部グラフィック・ユーザ・インターフェース・ディスプレイは、このような紙詰まり除去機構に隣接して位置付けられている。
【０００７】
さらに、紙詰まり除去機構は、プラスチック電子材料を含むことができ、プロセッサに効果的に接続されることができる。これにより、紙詰まり除去機構は、紙詰まり除去命令が内部グラフィック・ユーザ・インターフェース・ディスプレイに与えられると共に、適宜、光を発することができる。
【０００８】
本発明の例示的な一方法の実施形態は、印刷装置内の紙詰まりを自動的に検出する。印刷装置の本体における少なくとも１つの非透過性の扉および／または引き出しを開いて、印刷装置の本体の内部領域へのアクセスを行う。方法は、印刷装置の本体に位置付けられた外部グラフィック・ユーザ・インターフェース・ディスプレイを介して、ユーザ命令を与えることができる（外部グラフィック・ユーザ・インターフェース・ディスプレイは、扉および引き出しが開いているか、または、閉じているときに目に見える）。さらに、方法は、自動的に命令を与えて、印刷装置の本体内の少なくとも１つの内部グラフィック・ユーザ・インターフェース・ディスプレイを用いて紙詰まりを取り除く。内部グラフィック・ユーザ・インターフェース・ディスプレイは、非透過性の扉および引き出しが開いているときにのみ、見ることができるように位置付けられている。内部グラフィック・ユーザ・インターフェース・ディスプレイおよび外部グラフィック・ユーザ・インターフェース・ディスプレイは、プラスチック電子ディスプレイ、液晶ディスプレイ（ＬＣＤ）、発光ダイオード（ＬＥＤ）ディスプレイ、タッチスクリーンディスプレイ、プラズマディスプレイ、ブラウン管ディスプレイなどを含むことができる。
【０００９】
実施形態によっては、方法が、扉または引き出しの少なくとも１つが開いていることを扉センサおよび引き出しセンサが検出したときにのみ、内部グラフィック・ユーザ・インターフェース・ディスプレイを作動させるものもある。さらに、内部グラフィック・ユーザ・インターフェース・ディスプレイを、印刷装置の本体内の少なくとも１つの紙詰まり除去機構に隣接して位置付けることができる。
【図面の簡単な説明】
【００１０】
【図１】本実施形態に係る機器の概略側面図である。
【図２】扉または引き出しが開いている、本実施形態に係る機器の概略透視側面図である。
【図３】扉または引き出しが開いている、本実施形態に係る機器の概略透視側面図である。
【図４】扉または引き出しが開いている、本実施形態に係る機器の概略透視側面図である。
【図５】扉または引き出しが開いている、本実施形態に係る機器の概略透視側面図である。
【図６】扉または引き出しが閉じている、本実施形態に係る機器の概略透視側面図である。
【図７】本発明の様々な方法の実施形態を示すフローチャートである。
【発明を実施するための形態】
【００１１】
上述したように、標準的な外部グラフィック・ユーザ・インターフェース（ＧＵＩ）に与えられる点検／紙詰まり除去命令を確認することは、困難な場合がある。なぜなら、標準的な外部グラフィック・ユーザ・インターフェースは、マーキングエンジンとは異なる平面に（それとは異なる高さに）位置しており、したがって、ユーザは、紙詰まりを取り除こうとしたときに、グラフィック・ユーザ・インターフェースを確認できないからである。より具体的には、ユーザが印刷エンジンの扉を開くと、ほとんどの印刷エンジンは、標準的な外部グラフィック・ユーザ・インターフェースよりも低い位置にあり、詰まり除去手順を確認し、次に、手順を実施して詰まりを取り除くために継続的に上下に膝を曲げることは、不都合である。これにより、ユーザが詰まりを正確に取り除けるようにして詰まり除去命令に従うために、ユーザは何度も上下に膝を曲げなければならなくなる。
【００１２】
本発明の実施形態は、機械の内部本体内に少なくとも１つのグラフィック・ユーザ・インターフェースを提供することによって、この問題に対処する。したがって、本発明の実施形態によって、主要な外部グラフィック・ユーザ・インターフェースと内部グラフィック・ユーザ・インターフェースとに、詰まり除去命令を表示できる。これにより、ユーザは、命令に従うために、印刷エンジンと外部グラフィック・ユーザ・インターフェースとの間を連続的に移動する必要がなくなる。
【００１３】
さらに、各機器における複数のグラフィック・ユーザ・インターフェース・ディスプレイを提供するコストを下げ、ディスプレイが占める空間の広さを低減するために、内部グラフィック・ユーザ・インターフェース・ディスプレイは、Ｐｌａｓｔｉｃ  Ｌｏｇｉｃ（Ｍｏｕｎｔａｉｎ  Ｖｉｅｗ，ＣＡ，ＵＳＡ）およびＲｕｓｎａｎｏ（Ｚｅｌｅｎｏｇｒａｄ，Ｒｕｓｓｉａ）から市販されているプラスチック電子ディスプレイであってもよい。このようなプラスチック電子ディスプレイを、単にプラスチック印刷によって、従来のディスプレイよりも小さく、軽く、コストを抑えて製造できる。あるいは、本明細書に記載したディスプレイは、小さく安価な液晶ディスプレイ（ＬＣＤ）、発光ダイオード（ＬＥＤ）ディスプレイ、タッチスクリーンディスプレイ、プラズマディスプレイ、ブラウン管ディスプレイなど（または、このようなディスプレイの任意の組み合わせ）を含むことができる。
【００１４】
図１は、本発明の実施形態によって用いられ、例えば、プリンタ、複写機、多機能機器などを含むことができる、コンピュータ制御された印刷機器１００を示している。印刷機器１００は、制御装置／プロセッサ１２４と、プロセッサ１２４に効果的に接続された少なくとも１つのマーキング機器（印刷エンジン）１１０、１１２、１１４と、シート供給部１０２からマーキング機器１１０、１１２、１１４に媒体シートを供給するために位置付けられた媒体経路１１６と、プロセッサ１２４、および、印刷機器の外部からコンピュータ制御されたネットワークに効果的に接続された通信ポート（入力／出力）１２６とを含む。印刷エンジンから様々なマーキングを受信した後、媒体シートは、適宜、印刷された様々なシートを折り畳む、綴じる、分類するなどできる仕上げ器１０８に移動できる。
【００１５】
したがって、媒体供給部１０２は、媒体シートを記憶し、印刷装置の本体１００内に（先頭部、中央部、末端部を有する）媒体経路１１６があり、媒体経路１１６の先頭部は、媒体供給部１０２に隣接している。媒体経路１１６は、印刷装置の本体１００を介して先頭部から末端部に媒体シートを移動させる。
【００１６】
媒体経路１１６の中央部は、マーキングエンジン１１０、１１２、１１４に隣接している。媒体経路１１６は、マーキングエンジン１１０、１１２、１１４に印刷媒体を供給し、マーキングエンジン１１０、１１２、１１４は、印刷プロセスにおいて印刷媒体にマークを印刷して、印刷済みシートを作り出す。媒体出口１１８は、印刷装置の本体１００および仕上げ器１０８に効果的に接続されている。媒体経路１１６の末端部は、媒体出口１１８に隣接しており、媒体経路１１６は、印刷済みシートをマーキングエンジン１１０、１１２、１１４から媒体出口１１８に移動させる。
【００１７】
さらに、印刷機器１００は、少なくとも１つの付属の機能部品（例えば、スキャナ／文書ハンドラ１０４、シート供給部１０２、仕上げ器１０８など）、および、外部電源１２８から（電源１２２を介して）供給された電力で動作する、外部グラフィック・ユーザ・インターフェース・アセンブリ１０６および内部グラフィック・ユーザ・インターフェース・アセンブリ１３６を含んでいる。
【００１８】
入力／出力機器１２６は、多機能印刷機器１００への、および、多機能印刷機器からの通信に用いられる。プロセッサ１２４は、印刷機器の様々な動作を制御する。（光学的な、磁気の、キャパシタに基づいた、などであってもよい）非一時的なコンピュータ記憶媒体１２０は、プロセッサ１２４によって読取り可能であり、プロセッサ１２４が実行する命令を記憶して、多機能印刷機器が本明細書において説明したようなその様々な機能を実施できる。
【００１９】
したがって、プリンタ本体のハウジング１００は、電源１２２によって交流（ＡＣ）１２８から供給された電力で動作する、１つまたは複数の機能部品を備えている。電源１２２は、外部交流電源１２８に接続し、外部電力を、様々な部品に必要なタイプの電力に変換する。
【００２０】
当業者によって理解されるように、図１に示した印刷機器１００は、一例にすぎず、本発明の実施形態は、同様に、より少ない部品またはより多い部品を含む他のタイプの印刷機器にも適用可能である。例えば、限られた数の印刷エンジンおよび用紙搬送路を図１に示しているが、当業者は、はるかに多くの用紙搬送路および付加的な印刷エンジンを、本発明の実施形態によって用いられる任意の印刷機器内に含むことができるということを、理解するだろう。
【００２１】
図２〜６は、同じ印刷本体ハウジング１００の一部の異なる概略図を示している。より具体的には、図２から始めると、プリンタ本体１００は、本体１００に位置付けられた扉および／または引き出し２４０を含むことができ、扉および／または引き出しによって、印刷装置の本体１００の内部領域へのアクセスが可能になる。（例えば、転写ロール、定着ロール、支持ロールなどであってもよい）ロール部材２２０、２２２、２２４、ハンドル２０２、２０４、２０６、（ベルト、誘導部、ローラニップなどであってもよい）媒体支持部材２１０、２１２、２１４、および、（現在知られているか、あるいは、今後開発される、印刷機器に通常見られる任意の部材を含むことができる）他の処理部材２２６といった、様々な内部部材が、所定の印刷機器内に含まれる実際に存在している部材の一部にすぎないということに、留意されたい。
【００２２】
さらに、このような部材の形状、場所、および、大きさを、必ずしも縮尺調整して示しておらず、それらは機械によって異なっている。したがって、図２〜６が、例示的な一印刷機内の内部構成の簡略化した例の部分的内部図のみを示しており、本発明の実施形態が、はるかに多くの（または少ない）部品および部材を含む同様に他の多くのタイプの印刷機に適用可能であるということが、当業者には理解されるであろう。
【００２３】
図２に示したように、扉センサおよび引き出しセンサ２４２は、扉および引き出し２４０に隣接して位置付けられている。扉センサおよび引き出しセンサ２４２は、プロセッサ１２４に効果的に接続されており、扉および引き出し２４０が開いているときをプロセッサ１２４に通知する。
【００２４】
さらに、少なくとも１つの内部グラフィック・ユーザ・インターフェース１３６は、印刷装置の本体１００内にある（プロセッサ１２４に効果的に接続されている）。内部グラフィック・ユーザ・インターフェース１３６および外部グラフィック・ユーザ・インターフェース１０６は、一連の命令を与えて、媒体経路１１６の様々な範囲を検査する多段プロセスを介してユーザを案内して、紙詰まりを除去できる。
【００２５】
外部グラフィック・ユーザ・インターフェース・ディスプレイ１０６および内部グラフィック・ユーザ・インターフェース・ディスプレイ１３６は、（現在知られているか、または、今後開発される）語、方向、命令、グラフィック記号などを表示できる任意の形状のディスプレイであってもよい。したがって、ディスプレイは、より多くの光源であるが、それよりもむしろ、形状を形成できる画素の配列（例えば、３２ｘ３２、６４０ｘ６４０、１０８０ｘ１０８０など）を含んでいる。例えば、外部グラフィック・ユーザ・インターフェース・ディスプレイ１０６、および、内部グラフィック・ユーザ・インターフェース・ディスプレイ１３６は、プラスチック電子ディスプレイ、液晶ディスプレイ（ＬＣＤ）、発光ダイオード（ＬＥＤ）ディスプレイ、タッチスクリーンディスプレイ、プラズマディスプレイ、ブラウン管ディスプレイなど（または、このようなディスプレイの任意の組み合わせ）であってもよい。本明細書の用語「内部」は、印刷機器の本体内またはその内側を意味し、「外部」は、印刷機器の外側に接続されている（あるいは、外側との接続を切断されている）ことを意味している。
【００２６】
内部グラフィック・ユーザ・インターフェース・ディスプレイ１３６は、非透過性の扉および引き出し２４０が開いているときにのみ、見ることができるように位置付けられている。逆に、外部グラフィック・ユーザ・インターフェース・ディスプレイは、扉および引き出しが開いているか、または、閉じているときに目に見える。例えば、図６に示したように、外部グラフィックユーザディスプレイ１０６は、扉／引き出し２４０が閉じているときにのみ目に見えるディスプレイである。
【００２７】
外部グラフィック・ユーザ・インターフェース・ディスプレイ１０６および内部グラフィック・ユーザ・インターフェース・ディスプレイ１３６は、両方とも、プロセッサ１２４に効果的に接続されており、プロセッサは、扉および引き出し２４０の少なくとも１つが開いていることを扉センサおよび引き出しセンサ２４２が検出したときにのみ、内部グラフィック・ユーザ・インターフェース・ディスプレイを作動させることができる。例えば、２つの内部グラフィック・ユーザ・インターフェース・ディスプレイ１０６が作動し、「扉が開きます」というメッセージによって扉が開くことをユーザに通知する。
【００２８】
いくつかの実施形態は、（ハンドル２０２、２０４、２０６によって示された）少なくとも１つの紙詰まり除去機構を含むことができ、紙詰まり除去機構は、媒体経路１１６の可動部分に接続されている。内部グラフィック・ユーザ・インターフェース・ディスプレイを、都合よく、このような紙詰まり除去機構２０２、２０４、２０６に隣接して位置付けることができる。
【００２９】
さらに、外部グラフィック・ユーザ・インターフェース・ディスプレイ１０６および内部グラフィック・ユーザ・インターフェース・ディスプレイ１３６は、図３〜５に示したように、媒体経路１１６内の詰まりを取り除くための同じ命令を同時に与えることができる。より具体的には、図３に示したように、グラフィック・ユーザ・インターフェース１０６、１３６は、ユーザに命令を同時に表示して、「ハンドル２０２を動かしてください」というメッセージによってハンドル番号２０２を動かす。ハンドル２０２が動いていることによって、媒体経路１１６の部分２１０がロール２２０によって持ち上げられ、潜在的な紙詰まりの場所の発見し易くする。
【００３０】
さらに、紙詰まり除去機構２０２、２０４、２０６は、プラスチック電子材料を含むことができ、プロセッサ１２４に効果的に接続されることができる。これにより、紙詰まり除去機構２０２、２０４、２０６は、紙詰まり除去命令が内部グラフィック・ユーザ・インターフェース・ディスプレイ１３６に与えられると共に、適宜、光を発することができるようになる。
【００３１】
いくつかの実施形態では、図３に示したように複数の内部グラフィック・ユーザ・インターフェース・ディスプレイ１３６がある場合に、作動できる単一のディスプレイは、ユーザによって動作される必要のある詰まり除去機構２０２に（他の全てのディスプレイに対して）最も近接したディスプレイである。さらに、ユーザの注意をハンドル２０２に対して最も近接した領域に引きつけ、ユーザが、ハンドル２０２の場所をより容易に見つけてハンドルを動かすことができるように、このメッセージは、内部グラフィック・ユーザ・インターフェース・ディスプレイ１０６のうちの１つだけに示されている間、明滅でき、あるいは、外観を変える（色、輝度、フォントの大きさなどを変える）ことができる。さらに、ハンドル２０２は、同時に光を発する、明滅するなどが可能である。
【００３２】
同様に、図４および５に示したように、グラフィック・ユーザ・インターフェース１０６、１３６のメッセージは、ハンドル２０４、２０６を順次動かすようにユーザに命令ために変わり、このようなハンドルは、詰まり除去命令と共に、光を発する、明滅するなどが可能である。図４では、２つの内部グラフィック・ユーザ・インターフェース・ディスプレイ１３６は、「ハンドル２０４を動かしてください」というメッセージを表示する。一方、図５では、ハンドル２０６に最も近接した内部グラフィック・ユーザ・インターフェース・ディスプレイ１３６のみが、「ハンドル２０６を動かしてください」というメッセージを表示する。さらに、外部ディスプレイは、内部グラフィック・ユーザ・インターフェース・ディスプレイ１３６に表示される同じメッセージを同時に表示してもよいし、しなくてもよく、内部ディスプレイは、動く必要のあるハンドルを指す矢印を示すことができる。
【００３３】
本発明の方法の実施形態を、図７に示した一般的なフローチャートによって図に示す。より詳細には、項目３００では、本発明の例示的な一方法の実施形態は、紙詰まり、または、印刷装置内の修理を必要とする維持状況を自動的に検出する。項目３０２では、印刷装置の本体における少なくとも１つの非透過性の扉および／または引き出しを開き、本体の内部領域へのアクセスを提供する。いくつかの実施形態では、方法は、扉および引き出しの少なくとも１つが開いているのを扉センサおよび引き出しセンサが検出したときにのみ、内部グラフィック・ユーザ・インターフェース・ディスプレイを作動させることができる。
【００３４】
次に、項目３０４では、方法は、ユーザに命令を与えることができ、詰まりを取り除くか、あるいは、印刷装置の本体に位置付けられた外部グラフィック・ユーザ・インターフェース・ディスプレイ、および、印刷装置の本体内の少なくとも１つの内部グラフィック・ユーザ・インターフェース・ディスプレイを介して、点検を同時に実施する（外部グラフィック・ユーザ・インターフェース・ディスプレイは、扉および引き出しが開いているか、または、閉じているとき、目に見える）。さらに、同時に、ハンドルの１つまたは複数は、光を発することができる。
【００３５】
上述したように、内部グラフィック・ユーザ・インターフェース・ディスプレイは、非透過性の扉および引き出しが開いているときにのみ、見ることができるように位置付けられている。これにより、紙詰まりを取り除くか、あるいは、印刷機器の本体内の点検を行うときに、ユーザが外部グラフィック・ユーザ・インターフェース・ディスプレイに目を向ける必要がなくなる。さらに、すでにしたように、内部グラフィック・ユーザ・インターフェース・ディスプレイを、印刷装置の本体内の少なくとも１つの紙詰まり除去機構に隣接して位置付けることができ、動作される必要のある除去機構にユーザの注意を引きつけ易くする。
【図１】
0005819236.tif 000002
【図２】
0005819236.tif 000003
【図３】
0005819236.tif 000004
【図４】
0005819236.tif 000005
【図５】
0005819236.tif 000006
【図６】
0005819236.tif 000007
【図７】
0005819236.tif 000008